(57)【要約】【課題】多数枚積層した状態の食品用包装材を、より安定した状態で、向きがずれたり痛んだりしないように収容すること。【解決手段】この発明の食品用包装材収容体は、四隅に切り欠き部を設けた四角形状の食品用包装材を多数枚積層した状態で収容する収容体であって、本体が背部と折り目を介して接続した表部８及び裏部９を有し、前記折り目で折り曲げて内側に積層した食品用包装材を収容するようにしており、さらに、本体の端に達しない切り目を形成して折り曲げることにより、食品用包装材の切り欠き部に入る係止部２１ａ〜２１ｄを形成したものとしている。【選択図】  図４
2008230687.tif 000002
【特許請求の範囲】
【請求項１】
四隅に切り欠き部を設けた四角形状の食品用包装材を多数枚積層した状態で収容する収容体であって、本体が背部と折り目を介して接続した表部及び裏部を有し、前記折り目で折り曲げて内側に積層した食品用包装材を収容するようにしており、さらに、本体の端に達しない切り目を形成して折り曲げることにより、食品用包装材の切り欠き部に入る係止部を形成していることを特徴とする食品用包装材収容体。
【請求項２】
少なくとも一部の係止部を形成するための切り目が、背部の両側のいずれか一方の折り目から延びて他方の折り目を超えたものである請求項１記載の食品用包装材収容体。
【請求項３】
表部及び裏部のそれぞれの外端部を折り目で内側に折り曲げることにより背部に対向する側に閉じ部を形成しており、さらに、少なくとも一部の係止部を形成するための切り目が、前記外端部の折り目をその内方から超えて外端部へ至るものである請求項１又は２記載の食品用包装材収容体。
【発明の詳細な説明】
【技術分野】
【０００１】
この発明は、おにぎり等を包装するのに使用する食品用包装材を収容するための収容体に関するものである。
【背景技術】
【０００２】
従来から、コンビニエンスストア等の店舗において、各種の包装されたおにぎりが販売されているが、この包装されたおにぎりは、にぎり飯を、四隅を切り欠いた形状の外フィルムと内フィルムとの間の収容部に海苔等のシート状食品を収容した袋状の食品用包装材で包まれた状態となっており、食品用包装材を開封すると、にぎり飯がシート状食品に巻かれるようになっている。
【０００３】
このような包装されたおにぎりは、最近では、にぎり飯を順次食品用包装材で包むようにした装置により自動的に生産されるようになっているが、前記装置には次々に食品用包装材を供給する必要があるため、食品用包装材を多数枚積層した状態にしておかなければならない。
【０００４】
そのため、特許文献１に記載のような、背部３とその左右の表部４及び裏部５を有し、内側に積層した食品用包装材２を収容するようにしており、さらに、背部３に切れ込み６を形成してその内側部分７を折り曲げ、食品用包装材２の背部３側の切り欠き部１に入るようにすることにより、多数枚積層した状態の食品用包装材２を、向きがずれたり痛んだりしないように収容することを可能とした食品用包装材収容体がある。
【０００５】
しかし、この食品用包装材収容体は、前記内側部分７の一端が自由端であるため、使用しているうちに、前記内側部分７が開いて切り欠き部１から外れてしまうことがあり、安定した収容状態を長時間維持することができない場合があった。
【特許文献１】特開２００６−１７６１６３号公報
【発明の開示】
【発明が解決しようとする課題】
【０００６】
そこで、この発明は、多数枚積層した状態の食品用包装材を、より安定した状態で、向きがずれたり痛んだりしないように収容することが可能な食品用包装材収容体を提供することを課題とする。
【課題を解決するための手段】
【０００７】
この発明の食品用包装材収容体は、四隅に切り欠き部を設けた四角形状の食品用包装材を多数枚積層した状態で収容する収容体であって、本体が背部と折り目を介して接続した表部及び裏部を有し、前記折り目で折り曲げて内側に積層した食品用包装材を収容するようにしており、さらに、本体の端に達しない切り目を形成して折り曲げることにより、食品用包装材の切り欠き部に入る係止部を形成したものとしている。
【０００８】
また、少なくとも一部の係止部を形成するための切り目が、背部の両側のいずれか一方の折り目から延びて他方の折り目を超えたものとすることができる。
【０００９】
さらに、表部及び裏部のそれぞれの外端部を折り目で内側に折り曲げることにより背部に対向する側に閉じ部を形成しており、さらに、少なくとも一部の係止部を形成するための切り目が、前記外端部の折り目をその内方から超えて外端部へ至るものとすることもできる。
【発明の効果】
【００１０】
この発明の食品用包装材収容体は、上述のような構成を有しており、食品用包装材の切り欠き部に入る係止部の両端が自由端ではなく本体と連続しているため、前記食品用包装材２を極めて安定した状態で収容することが可能である。
【発明を実施するための最良の形態】
【００１１】
以下、この発明の好適な実施形態を、図面を参照して説明する。
【００１２】
この食品用包装材収容体は、四隅に切り欠き部を設けた四角形状の食品用包装材を多数枚積層した状態で収容する収容体であって、本体が背部と折り目を介して接続した表部及び裏部を有し、前記折り目で折り曲げて内側に積層した食品用包装材を収容するようにしており、さらに、本体の端に達しない切り目を形成して折り曲げることにより、食品用包装材の切り欠き部に入る係止部を形成したものである。
【００１３】
四隅に切り欠き部１を設けた四角形状の食品用包装材２は、特開平９−２５２３号公報に記載のような、外フィルムの長辺側の外縁に一対の内フィルムの一辺を接合し、外フィルムの幅方向の略中央にて前記内フィルムの対向辺どうしを重ね合わせ、さらに外フィルムと内フィルムとの間に海苔等のシート状食品を挟んだおにぎり用包装材とすることができる。食品用包装材２は１００枚単位で積層されており、中間に食品用包装材２と同形状の紙製の中敷きを挟んでいるものとすることもできる。
【００１４】
この食品用包装材収容体の本体は、図１に示したような略長方形の１枚の板紙３に切り目４ａ，４ｂ，４ｃ，４ｄを設け、折り曲げることにより構成することができる。板紙３は、適宜の厚みのボール紙や、段ボールのような多層構造のものとすることができる。
【００１５】
板紙３には、中央の上端縁と下端縁間に、縦方向の表部境界折り目５と裏部境界折り目６が形成されている。表部境界折り目５は、中間部５ａ、上部５ｂ及び下部５ｃからなり、上部５ｂ及び下部５ｃは、ともに裏部境界折り目６からの距離が同じとなるように、背部７から見て中間部５ａに対して外方（図１中の左方）にずれて位置している。
【００１６】
背部７は、表部境界折り目５の中間部５ａ、裏部境界折り目６、切り目４ａ，４ｂに囲まれた部分であり、表部境界折り目５の左側が表部８、裏部境界折り目６の右側が裏部９である。
【００１７】
また、表部８及び裏部９のそれぞれの外端部８ａ，９ａには、閉じ部形成用の折り目１１，１２が設けられており、この折り目１１，１２で内側に折り曲げる（谷折り）ことにより背部７に対向する側に閉じ部１０が形成されるようになっている。なお、外端部８ａは、下端部が切欠した形状としており、組み立て・完成時に係止部２１ｄの障害にならないようにしている。
【００１８】
板紙３の上部と下部には、この食品用包装材収容体が完成したときに食品用包装材２の切り欠き部１に対応する箇所に、それぞれ横方向の第１〜４の切り目４ａ，４ｂ，４ｃ，４ｄが板紙３（本体）の端に達しないように設けられている。
【００１９】
第１の切り目４ａは、板紙３の上部において、板紙８の上端縁と平行に、背部７の両側の折り目のうちの一方の折り目である裏部境界折り目６から延びて他方の折り目である表部境界折り目５の中間部５ａを超えたものとしている。
【００２０】
第２の切り目４ｂは、板紙３の下部において、板紙８の下端縁と平行に、前記第１の切り目４ａと同様に、裏部境界折り目６から延びて表部境界折り目５の中間部５ａを超えたものとしている。
【００２１】
第３の切り目４ｃは、板紙３の上部において、板紙８の上端縁と平行に、表部８の前記外端部８ａの折り目１１の内方（図１中の右方）からこれを超えて外端部８ａへ至るものとしている。
【００２２】
第４の切り目４ｄは、板紙３の下部において、板紙８の下端縁と平行に、裏部９の前記外端部９ａの折り目１２の内方（図１中の左方）からこれを超えて外端部９ａへ至るものとしている。
【００２３】
第１の切り目４ａは、その左端が表部境界折り目５の上部５ｂの下端に接続している。第２の切り目４ｂは、その左端が表部境界折り目５の下部５ｃの上端に接続している。
【００２４】
また、表部境界折り目５の上部５ｂと裏部境界折り目６との間には、板紙３の上端縁から第１の切り目４ａに至る縦方向の折り目１３が設けられ、表部境界折り目５の下部５ｃと裏部境界折り目６との間には、板紙３の下端縁から第２の切り目４ｂに至る縦方向の折り目１４が設けられている。これらの折り目１３，１４は、ともに裏部境界折り目６からの距離が同じとなるように、表部境界折り目５の中間部５ａに対して裏部境界折り目６に近い方にずれて位置している。
【００２５】
そして、表部境界折り目５の上部５ｂと折り目１３との間の距離、並びに表部境界折り目５の下部５ｃと折り目１４との間の距離は、ともに背部７の幅（表部境界折り目５の中間部５ａと裏部境界折り目６との距離）と同じとなるようにしている。
【００２６】
また、第３の切り目４ｃの両端には、それぞれ板紙３の上端縁から前記各端に至る縦方向の折り目１５，１６が設けられ、この両側の折り目１５，１６の間には、板紙３の上端縁から前記第３の切り目４ｃに至る縦方向の折り目１７が設けられている。
【００２７】
また、第４の切り目４ｄの両端には、それぞれ板紙３の下端縁から前記各端に至る縦方向の折り目１８，１９が設けられ、この両側の折り目１８，１９の間には、板紙３の下端縁から前記第４の切り目４ｄに至る縦方向の折り目２０が設けられている。
【００２８】
前記第３の切り目４ｃに接する折り目１５，１６，１７と、第４の切り目４ｄに接する折れ目１８，１９，２０は、それぞれ互いに対称な関係となるように位置している。折り目１７，２０は、それぞれ前記外端部８ａ，９ａの折り目１１，１２に対して外方にずれて位置している。
【００２９】
第１の切り目４ａと板紙３の上端縁、及び表部境界折り目５の上部５ｂと裏部境界折り目６とに囲まれた長方形の部分が係止部２１ａとなる。第２の切り目４ｂと板紙３の下端縁、及び表部境界折り目５の下部５ｃと裏部境界折り目６とに囲まれた長方形の部分が係止部２１ｂとなる。第３の切り目４ｃと板紙３の上端縁、及び前記折り目１５，１６に囲まれた長方形の部分が係止部２１ｃとなる。そして、第４の切り目４ｄと板紙３の下端縁、及び前記折り目１８，１９に囲まれた長方形の部分が係止部２１ｄとなる。
【００３０】
この食品用包装材収容体に食品用包装材２を収容するには、図２〜４に示したような手順で行うことができる。なお、図３〜４においては食品用包装材２の図示を省略している。
【００３１】
まず、図２に示したように、板紙３の内側面において、裏部９の上に積層した食品用包装材２を載せる。次に、表部境界折り目５（５ａ，５ｂ，５ｃ）及び裏部境界折り目６で内側に折り曲げ（谷折り）、そして、表部８及び裏部９の各外端部８ａ，９ａを折り目１１，１２で内側に折り曲げて（谷折り）、図３に示したような状態にする。前記各折り曲げ部分は直角に折り曲げる。
【００３２】
前記折り曲げの際、前記第１〜４の切り目４ａ，４ｂ，４ｃ，４ｄに接する折り目１３〜２０も折り曲げられるが、このうち前記外端部８ａ，９ａの折り目１１，１２に対して外方にずれた位置にある折り目１７，２０については、いずれも板紙３の内側面から見て山折りにする。これにより、係止部２１ｃ，２１ｄが立体的に形成される。
【００３３】
そして、背部７の上下に位置する前記第１の切り目４ａ及び第２の切り目４ｂにそれぞれ接する各折り目１３，１４を、板紙３の内側面から見て外側に折り曲げられた状態(谷折り）から、図４に示したように内側面から見て山折りにする。これにより、係止部２１ａ，２１ｂが立体的に形成される。この作業は、前記折り目１３，１４付近を指で押すことにより容易になすことができる。板紙８には可撓性があるので、前記折り目１３，１４付近に指で一定以上の力を加えると、折り目が勢いよく反転し、図示したように各折り目１３，１４が板紙３（本体）の内側面に接するように折り曲げられ、この状態が強く維持されることになる。
【００３４】
このようにして、前記各切り目４ａ，４ｂ，４ｃ，４ｄに関し、係止部２１ａ，２１ｂ，２１ｃ，２１ｄが立体的に形成され、それぞれ積層した食品用包装材２の切り欠き部１に入った状態になる。
【００３５】
次に、前記外端部８ａの外側に外端部９ａを重ねて閉じ部１０とし、必要に応じて閉じ部１０を接着テープ等の固定手段２２で止めることにより、食品用包装材収容体が完成された状態となる。前記固定手段２２は、接着剤その他適宜のものとすることもできる。
【００３６】
なお、図２の段階では積層した食品用包装材２を載せず、図３の段階において閉じ部１０を形成し、このときに積層した食品用包装材２を収容して、その後係止部２１ａ，２１ｂを形成してもよい。
【００３７】
図５は、完成した食品用包装材収容体の上面図、図６は底面図、図７は右側面図（閉じ部１０側）、図８は左側面図（背部７側）である。
【００３８】
各係止部２１ａ，２１ｂ，２１ｃ，２１ｄは、直角な角部を有する立体形状となり、食品用包装材２の切り欠き部１に入るようになっている。各係止部２１ａ，２１ｂ，２１ｃ，２１ｄと切り欠き部１とは、若干の間隔を有したり、接触したりすることとすることができる。
【００３９】
背部７側の係止部２１ａ，２１ｂは、背部７と略同一の高さを有することとなり、表部８及び裏部９を支えるとともに積層されたすべての食品用包装材２の左側の切り欠き部１に入る。
【００４０】
閉じ部１０側の係止部２１ｃ，２１ｄは、一方の係止部２１ｃが表部８から下方へ背部７の高さのほぼ半分の位置に至り、他方の係止部２１ｄが裏部９から上方へ背部７の高さのほぼ半分の位置に至り、それぞれ積層された食品用包装材２の上半分、下半分の右側の切り欠き部１に入る。
【００４１】
この食品用包装材収容体に収容された食品用包装材２は、切り欠き部１に入った前記各係止部２１ａ，２１ｂ，２１ｃ，２１ｄにより移動が制限されるため、車での運搬時等に揺れて各食品用包装材２の向きがずれたり、あるいは上下の切り欠き部１間の縁部が何かにぶつかって変形、損傷する等痛んだりすることが防止される。
【００４２】
前記各係止部２１ａ，２１ｂ，２１ｃ，２１ｄは、板紙３の内方に、すなわち本体の端に達しない態様で設けられた切り目４ａ，４ｂ，４ｃ，４ｄにより形成されたものであり、前記各係止部２１ａ，２１ｂ，２１ｃ，２１ｄの両端は自由端ではなく、折り目５ｂ，５ｃ，６，１５，１６，１８，１９を介して表部８や裏部９と連続している。そのため、各係止部２１ａ，２１ｂ，２１ｃ，２１ｄは、長時間使用しても、その形状が安定した状態で保たれる。
【００４３】
なお、係止部２１ａ，２１ｂ，２１ｃ，２１ｄは、必ずしも食品用包装材２の四隅の切り欠き部１のすべてに対応して設ける必要はなく、必要に応じて適宜選択して設けることができる。
【００４４】
また、切り目４ａ，４ｂ，４ｃ，４ｄは、板紙８の内側において係止部２１ａ，２１ｂ，２１ｃ，２１ｄを立体的に形成するためのものであり、前述の図示した態様に限定されるものではなく、例えば、図示したものと左右反転ないし上下反転したものであってもよい。
【図面の簡単な説明】
【００４５】
【図１】この発明の実施形態の食品用包装材収容体の本体の展開状態（板紙の内側面）の正面図である。
【図２】この発明の実施形態の食品用包装材収容体の組み立て手順を示す説明図である。
【図３】この発明の実施形態の食品用包装材収容体の組み立て手順を示す説明図である。
【図４】この発明の実施形態の食品用包装材収容体の組み立て手順を示す説明図である。
【図５】この発明の実施形態の食品用包装材収容体の上面図である。
【図６】この発明の実施形態の食品用包装材収容体の底面図である。
【図７】この発明の実施形態の食品用包装材収容体の右側面図である。
【図８】この発明の実施形態の食品用包装材収容体の左側面図である。
【符号の説明】
【００４６】
１  切り欠き部
２  食品用包装材
４ａ〜４ｄ  切り目
５，６，１１〜２０  折り目
７  背部
８  表部
８ａ，９ａ  外端部
９  裏部
１０  閉じ部
２１ａ〜２１ｄ  係止部
【図１】
2008230687.tif 000003
【図２】
2008230687.tif 000004
【図３】
2008230687.tif 000005
【図４】
2008230687.tif 000006
【図５】
2008230687.tif 000007
【図６】
2008230687.tif 000008
【図７】
2008230687.tif 000009
【図８】
2008230687.tif 000010